(57)【特許請求の範囲】
【請求項１】
入力電圧が中間電圧より低い場合に、前記入力電圧を昇圧させて第１電圧を生成し、当該第１電圧を出力端子に供給する第１昇圧回路と、
動作電源電圧を出力する電源選択回路と、
前記動作電源電圧に基づいて動作し、前記入力電圧が前記中間電圧より高い場合に、前記入力電圧を降圧して第２電圧を生成し、当該第２電圧を前記出力端子に供給する降圧回路と、
前記入力電圧を昇圧させて、前記中間電圧よりも高い第３電圧を生成する第２昇圧回路と、を備え、
前記電源選択回路は、前記降圧回路の外部にあり、前記動作電源電圧と前記降圧回路内の出力トランジスタのボディバイアスとが、前記入力電圧と前記中間電圧のうちの高い方の電圧に設定され、前記第３電圧に基づいて前記動作電源電圧を前記降圧回路に供給し、
前記第２昇圧回路は、前記入力電圧が前記中間電圧よりも低く、且つ前記入力電圧と前記中間電圧との電位差が所定値以上の場合に、前記第１昇圧回路と協働して、前記入力電圧を昇圧して前記中間電圧を生成する電源回路。
【請求項２】
前記第１昇圧回路は、第１クロック信号を生成する第１リングオシレータと、前記第１クロック信号に基づくポンプ動作により前記入力電圧を昇圧して第１電圧を生成する第１ポンプ回路と、前記第１電圧に基づいて、該第１電圧を前記中間電圧の目標値に維持するための第１制御信号を生成する第１検出回路とを含み、
前記第２昇圧回路は、第２クロック信号を生成する第２リングオシレータと、前記第２クロック信号に基づくポンプ動作により前記入力電圧を昇圧して前記第３電圧を生成する第２ポンプ回路と、前記第３電圧に基づいて、該第３電圧を前記第３電圧の目標値に維持するための第２制御信号を生成する第２検出回路とを含み、
当該電源回路は、
前記入力電圧と前記中間電圧との比較結果に応じて選択信号を生成する比較回路と、
前記選択信号に基づいて、前記第１制御信号と前記第２制御信号とから１つを選択し、その選択した制御信号を前記第２リングオシレータに出力する選択回路と、を備えることを特徴とする請求項１に記載の電源回路。
【請求項３】
前記第２電圧の目標値を、前記第１電圧の目標値よりも高く設定することを特徴とする請求項１または２に記載の電源回路。
【発明の詳細な説明】
【技術分野】
【０００１】
本発明は、電源回路に関するものである。
【背景技術】
【０００２】
従来、所定の範囲で電圧値が変動する入力電圧を昇圧又は降圧することにより、その変動範囲の中間電圧（出力電圧）を生成する電源回路が知られている（例えば、特許文献１参照）。この種の電源回路は、例えば入力電圧が出力電圧よりも高い場合には入力電圧を降圧回路で降圧し、入力電圧が出力電圧よりも低い場合には入力電圧を昇圧回路で昇圧する。
【先行技術文献】
【特許文献】
【０００３】
【特許文献１】特開２００６−２３８６５７号公報
【発明の概要】
【発明が解決しようとする課題】
【０００４】
入力電圧と出力電圧との比較結果に応じて、降圧回路と昇圧回路のうちの一方の回路を駆動させるとともに他方の回路を停止させるためのスイッチの切り替え時に出力電圧が不安定になる場合がある。
【課題を解決するための手段】
【０００５】
本発明の一観点によれば、入力電圧を昇圧して出力電圧を生成する第１昇圧回路と、前記入力電圧を降圧して前記出力電圧を生成する降圧回路と、を有し、前記降圧回路の動作電源電圧と前記降圧回路内の出力トランジスタのボディバイアスとが、前記入力電圧と前記出力電圧のうち高い方の電圧に設定される。
【発明の効果】
【０００６】
本発明の一観点によれば、安定した出力電圧を生成することができるという効果を奏する。
【図面の簡単な説明】
【０００７】
【図１】第１実施形態の電源回路を示すブロック回路図。
【図２】（ａ）、（ｂ）降圧回路を示す回路図。
【図３】（ａ）、（ｂ）第１実施形態の電源回路の動作を説明するための波形図。
【図４】第２実施形態の電源回路を示すブロック回路図。
【図５】スイッチの構成例を示すブロック回路図。
【図６】第２実施形態の電源回路の動作を説明するための波形図。
【図７】（ａ）、（ｂ）第２実施形態の電源回路の動作を説明するための波形図。
【発明を実施するための形態】
【０００８】
（第１実施形態）
以下、第１実施形態を図１〜図３に従って説明する。
図１に示すように、電源回路１は、降圧回路２と、第１昇圧回路３と、第２昇圧回路４と、電源選択回路５と、分圧回路６とを含む。
【０００９】
降圧回路２は、電源電圧（入力電圧）ＶＣＣを降圧して降圧電圧Ｖ１を生成するとともに、その降圧電圧Ｖ１を中間電圧（出力電圧）ＶＭＭとして出力端子Ｔｏに出力する。ここで、本実施形態の入力電圧ＶＣＣは２〜６Ｖの範囲で変動する電圧であるとともに、中間電圧ＶＭＭは上記入力電圧ＶＣＣの変動範囲の中間値である４Ｖが目標値に設定された電圧である。なお、上記降圧回路２は、電源選択回路５から供給される動作電源電圧ＶＤＤに基づいて動作する。
【００１０】
第１昇圧回路３は、入力電圧ＶＣＣを昇圧して昇圧電圧Ｖ２を生成するとともに、その昇圧電圧Ｖ２を中間電圧ＶＭＭとして出力端子Ｔｏに出力する。
第２昇圧回路４は、入力電圧ＶＣＣを昇圧して該入力電圧ＶＣＣ及び中間電圧ＶＭＭよりも高い昇圧電圧ＶＰＰを生成する。この第２昇圧回路４は、その昇圧電圧ＶＰＰを電源選択回路５に出力する。なお、本実施形態の昇圧電圧ＶＰＰは、その目標値Ｖｐが７Ｖに設定されている。
【００１１】
電源選択回路５には、入力電圧ＶＣＣと中間電圧ＶＭＭとが供給されるとともに、動作電源電圧として昇圧電圧ＶＰＰが供給される。この電源選択回路５は、入力電圧ＶＣＣと中間電圧ＶＭＭのうちの高い方の電圧を選択するとともに、その選択した電圧を動作電源電圧ＶＤＤとして上記降圧回路２に供給する。このため、入力電圧ＶＣＣが中間電圧ＶＭＭよりも高い期間（降圧動作が必要な期間）には、入力電圧ＶＣＣが動作電源電圧ＶＤＤとして降圧回路２に供給される。一方、入力電圧ＶＣＣが中間電圧ＶＭＭよりも低い期間（降圧動作が不要な期間）には、中間電圧ＶＭＭが動作電源電圧ＶＤＤとして降圧回路２に供給される。
【００１２】
分圧回路６は、中間電圧ＶＭＭをそれぞれ異なる分圧比で分圧した分圧電圧Ｖｎ１，Ｖｎ２を生成する。この分圧回路６は、分圧電圧Ｖｎ１を降圧回路２に出力するとともに、分圧電圧Ｖｎ２を第１昇圧回路３に出力する。
【００１３】
次に、降圧回路２の構成例について説明する。
降圧回路２は、差動増幅器２１と出力トランジスタＴＰ１とを含む降圧レギュレータ、より具体的には低ドロップアウト電圧（ＬＤＯ）レギュレータである。本実施形態において、出力トランジスタＴＰ１はＰチャネルＭＯＳトランジスタである。また、出力トランジスタＴＰ１は、閾値電圧Ｖｔｈが０Ｖのトランジスタである。
【００１４】
差動増幅器２１は、その反転入力端子に基準電圧Ｖｒ１が供給されるとともに、非反転入力端子に中間電圧ＶＭＭの分圧電圧Ｖｎ１が供給される。また、差動増幅器２１の出力端子は、出力トランジスタＴＰ１のゲートに接続されている。
【００１５】
出力トランジスタＴＰ１の第１端子（例えばソース）には、入力電圧ＶＣＣが供給される。この出力トランジスタＴＰ１の第２端子（例えばドレイン）は、出力端子Ｔｏに接続されるとともに、分圧回路６（抵抗Ｒ１〜Ｒ３）を介して低電位側電源（ここでは、グランド）に接続されている。また、抵抗Ｒ２，Ｒ３間の接続点が差動増幅器２１の非反転入力端子に接続されている。
【００１６】
この差動増幅器２１は、抵抗Ｒ２，Ｒ３間の接続点の電圧Ｖｎ１を基準電圧Ｖｒ１と等しくするように出力トランジスタＴＰ１を制御する。これにより、降圧電圧Ｖ１（中間電圧ＶＭＭ）が基準電圧Ｖｒ１に応じた目標値Ｖｍ１で略一定となるように出力トランジスタＴＰ１が制御される。
【００１７】
また、差動増幅器２１の高電位側の電源端子には、電源選択回路５から動作電源電圧ＶＤＤが供給される。すなわち、差動増幅器２１の高電位側の電源端子には、入力電圧ＶＣＣと中間電圧ＶＭＭのうちの高い方の電圧が供給される。
【００１８】
また、上記出力トランジスタＴＰ１のボディバイアスは、入力電圧ＶＣＣと中間電圧ＶＭＭのうちの高い方の電圧に設定される。このように出力トランジスタＴＰ１のボディバイアスを設定するための構成を以下に説明する。
【００１９】
出力トランジスタＴＰ１の第１端子と第２端子との間には、当該出力トランジスタＴＰ１のボディバイアスを制御するためのＰチャネルＭＯＳトランジスタＴＰ２，ＴＰ３が直列に接続されている。詳述すると、トランジスタＴＰ２は、トランジスタＴＰ１の第１端子とバックゲートとの間に設けられている。すなわち、トランジスタＴＰ２の第１端子がトランジスタＴＰ１の第１端子に接続されるとともに、トランジスタＴＰ２の第２端子がトランジスタＴＰ１のバックゲートに接続されている。また、トランジスタＴＰ３は、トランジスタＴＰ１のバックゲートと第２端子との間に設けられている。すなわち、トランジスタＴＰ３の第１端子がトランジスタＴＰ１のバックゲートに接続されるとともに、トランジスタＴＰ３の第２端子がトランジスタＴＰ１の第２端子に接続されている。なお、これらトランジスタＴＰ２，ＴＰ３のバックゲートは、トランジスタＴＰ１のバックゲートに接続されている。
【００２０】
また、上記トランジスタＴＰ２のゲートは、トランジスタＴＰ１の第２端子に接続されている。このため、トランジスタＴＰ２のゲートには、中間電圧ＶＭＭが供給される。一方、上記トランジスタＴＰ３のゲートは、トランジスタＴＰ１の第１端子に接続されている。このため、トランジスタＴＰ３のゲートには、入力電圧ＶＣＣが供給される。
【００２１】
このようなトランジスタＴＰ２，ＴＰ３は、入力電圧ＶＣＣが中間電圧ＶＭＭよりも高い場合には、トランジスタＴＰ２がオンされ、トランジスタＴＰ３がオフされる。すると、図２（ａ）に示すように、トランジスタＴＰ１のバックゲートが同トランジスタＴＰ１の第１端子に接続される。これにより、トランジスタＴＰ１のボディバイアスが入力電圧ＶＣＣに設定される。なお、上記接続によってトランジスタＴＰ１の第２端子から第１端子に向かう方向が順方向になる第１ボディダイオードＤ１が形成される。
【００２２】
一方、中間電圧ＶＭＭが入力電圧ＶＣＣよりも高い場合には、トランジスタＴＰ２がオフされ、トランジスタＴＰ３がオンされる。すると、図２（ｂ）に示すように、トランジスタＴＰ１のバックゲートが同トランジスタＴＰ１の第２端子に接続される。これにより、トランジスタＴＰ１のボディバイアスが中間電圧ＶＭＭに設定される。なお、上記接続によってトランジスタＴＰ１の第１端子から第２端子に向かう方向が順方向になる第２ボディダイオードＤ２が形成される。
【００２３】
このように、本実施形態の降圧回路２では、差動増幅器２１に供給される動作電源電圧ＶＤＤと出力トランジスタＴＰ１のボディバイアスとの双方が、入力電圧ＶＣＣと中間電圧ＶＭＭのうちの高い方の電圧に設定される。
【００２４】
次に、第１昇圧回路３の構成例を図１にしたがって説明する。
第１昇圧回路３は、リングオシレータ３１と、ポンプ回路３７と、検出回路としての比較回路３８とを含む昇圧型のチャージポンプである。
【００２５】
リングオシレータ３１は、リング状に接続されたナンド回路３２及び複数個（図１では２個）のインバータ回路３３，３４と、インバータ回路３４と直列に接続されるインバータ回路３５，３６とを含む。ナンド回路３２は、その入力端子が比較回路３８の出力端子に接続されるとともに、出力端子がインバータ回路３３に接続されている。インバータ回路３３，３４は直列に接続され、インバータ回路３４の出力端子が上記ナンド回路３２の入力端子とインバータ回路３５の入力端子に接続されている。このインバータ回路３５の出力端子はインバータ回路３６の入力端子に接続されている。このように構成されたリングオシレータ３１は、比較回路３８から入力する制御信号Ｓ１に応答して発振動作し、インバータ回路３５から所定の周波数を持つクロック信号ＣＫ１を出力するとともに、インバータ回路３６からクロック信号ＣＫ１の反転信号ＸＣＫ１を出力する。なお、これらクロック信号ＣＫ１及び反転信号ＸＣＫ１は、ポンプ回路３７に供給される。
【００２６】
ポンプ回路３７は、整流素子を介して接続された複数のポンピングキャパシタ間で電荷の充放電を繰り返しながら、入力電圧ＶＣＣよりも高い電圧を生成するディクソン型チャージポンプ回路である。詳述すると、ポンプ回路３７では、複数（ここでは３つ）のダイオードＤ３１〜Ｄ３３が直列に接続されている。具体的には、初段のダイオードＤ３１のアノードには入力電圧ＶＣＣが供給される。また、このダイオードＤ３１のカソードが次段のダイオードＤ３２のアノードに接続されるとともに、ダイオードＤ３２のカソードがダイオードＤ３３のアノードに接続されている。そして、最終段のダイオードＤ３３のカソード、つまりポンプ回路３７の出力端子が出力端子Ｔｏに接続されている。
【００２７】
これらダイオードＤ３１〜Ｄ３３間のノードにはコンデンサＣ３１，Ｃ３２の第１端子がそれぞれ接続されている。また、これらコンデンサＣ３１，Ｃ３２の第２端子には、上記リングオシレータ３１からクロック信号ＣＫ１と反転信号ＸＣＫ１とが交互に入力される。具体的には、ダイオードＤ３１，Ｄ３２間のノードに接続された初段のコンデンサＣ３１にはクロック信号ＣＫ１が入力される。また、ダイオードＤ３２，Ｄ３３間のノードに接続された２段目のコンデンサＣ３２には反転信号ＸＣＫ１が入力される。
【００２８】
このように構成されたポンプ回路３７では、リングオシレータ３１にて生成されるクロック信号ＣＫ１及び反転信号ＸＣＫ１に同期してコンデンサＣ３１〜Ｃ３２の充放電が繰り返され、初段のダイオードＤ３１に供給される入力電圧ＶＣＣが昇圧される。そして、このように昇圧された昇圧電圧Ｖ２が中間電圧ＶＭＭとして出力端子Ｔｏに出力される。
【００２９】
また、上記ダイオードＤ３３のカソードは、分圧回路６内の抵抗Ｒ１を介して比較回路３８の反転入力端子に接続されている。このため、比較回路３８の反転入力端子には、中間電圧ＶＭＭの分圧電圧Ｖｎ２が供給される。また、比較回路３８の非反転入力端子には、上記昇圧電圧Ｖ２を目標値Ｖｍ２に維持させるための基準電圧Ｖｒ２が供給される。この比較回路３８は、分圧電圧Ｖｎ２と基準電圧Ｖｒ２との比較結果に応じたレベルを持つ制御信号Ｓ１をリングオシレータ３１に出力する。
【００３０】
具体的には、比較回路３８は、分圧電圧Ｖｎ２が基準電圧Ｖｒ２よりも低い場合にはＨレベルの制御信号Ｓ１を出力する。このとき、リングオシレータ３１は、Ｈレベルの制御信号Ｓ１に応答して発振動作し、クロック信号ＣＫ１及び反転信号ＸＣＫ１をポンプ回路３７に供給する。これにより、ポンプ回路３７では、クロック信号ＣＫ１及び反転信号ＸＣＫ１に基づくポンプ動作が実行される。その一方で、比較回路３８は、分圧電圧Ｖｎ２が基準電圧Ｖｒ２よりも高い場合にはＬレベルの制御信号Ｓ１を出力する。すなわち、比較回路３８は、昇圧電圧Ｖ２（中間電圧ＶＭＭ）が目標値Ｖｍ２よりも高くなったときにＬレベルの制御信号Ｓ１を出力する。このとき、リングオシレータ３１は、Ｌレベルの制御信号Ｓ１に応答して発振動作を停止し、クロック信号ＣＫ１及び反転信号ＸＣＫ１のポンプ回路３７への供給を停止する。これにより、ポンプ回路３７のポンプ動作が停止される。このように昇圧電圧Ｖ２が目標値Ｖｍ２よりも低いときにポンプ回路３７を動作させ、昇圧電圧Ｖ２が目標値Ｖｍ２よりも高いときにポンプ回路３７を停止させることで、昇圧電圧Ｖ２を目標値Ｖｍ２で略一定に維持することができる。
【００３１】
ここで、分圧回路６から比較回路３８に供給される分圧電圧Ｖｎ２は、差動増幅器２１に供給される分圧電圧Ｖｎ１よりも高い電圧となる。詳述すると、分圧回路６は、出力端子Ｔｏとグランドとの間に直列に接続された抵抗Ｒ１，Ｒ２，Ｒ３を含み、これら抵抗Ｒ１〜Ｒ３間の接続点の電位を分圧電圧Ｖｎ１，Ｖｎ２としてそれぞれ出力する。具体的には、中間電圧ＶＭＭを抵抗Ｒ１，Ｒ２と抵抗Ｒ３とによって分圧した電圧が分圧電圧Ｖｎ１として降圧回路２に供給され、中間電圧ＶＭＭを抵抗Ｒ１と抵抗Ｒ２，Ｒ３とによって分圧した電圧が分圧電圧Ｖｎ２として第１昇圧回路３に供給される。このため、分圧電圧Ｖｎ２は分圧電圧Ｖｎ１よりも高い電圧となる。さらに、本実施形態では、上記基準電圧Ｖｒ２は、降圧回路２内の差動増幅器２１に供給される基準電圧Ｖｒ１と等しい電圧値に設定されている。したがって、基準電圧Ｖｒ１に応じた目標値Ｖｍ１（降圧回路２における中間電圧ＶＭＭの目標値Ｖｍ１）は、基準電圧Ｖｒ２に応じた目標値Ｖｍ２（第１昇圧回路３における中間電圧ＶＭＭの目標値Ｖｍ２）よりも高くなる。
【００３２】
次に、第２昇圧回路４の構成例を説明する。
第２昇圧回路４は、リングオシレータ４１と、ポンプ回路４７と、検出回路４８とを含む昇圧型のチャージポンプである。
【００３３】
リングオシレータ４１は、リングオシレータ３１と同様に、リング状に接続されたナンド回路４２及び複数個（図１では２個）のインバータ回路４３，４４と、インバータ回路４４と直列に接続されるインバータ回路４５，４６とを含む。このリングオシレータ４１は、インバータ回路４５が出力するクロック信号ＣＫ２と、インバータ回路４６が出力する反転信号ＸＣＫ２をポンプ回路４７に供給する。
【００３４】
ポンプ回路４７は、ポンプ回路３７と同様に、ディクソン型チャージポンプ回路である。すなわち、ポンプ回路４７は、直列に接続された複数（ここでは４つ）のダイオードＤ４１〜Ｄ４４と、これらダイオードＤ４１〜Ｄ４４間のノードにそれぞれ接続されたコンデンサＣ４１〜Ｃ４３とを含む。そして、これらコンデンサＣ４１〜Ｃ４３には、上記リングオシレータ４１からクロック信号ＣＫ２と反転信号ＸＣＫ２とが交互に入力される。このように構成されたポンプ回路４７では、リングオシレータ４１にて生成されるクロック信号ＣＫ２及び反転信号ＸＣＫ２に同期してコンデンサＣ４１〜Ｃ４３の充放電が繰り返され、初段のダイオードＤ４１に供給される入力電圧ＶＣＣが昇圧される。このように昇圧された昇圧電圧ＶＰＰが検出回路４８と電源選択回路５に供給される。
【００３５】
検出回路４８は、分圧回路４８ａと比較回路４８ｂとを含む。分圧回路４８ａは、ポンプ回路４７から入力する昇圧電圧ＶＰＰを所定の分圧比で分圧した分圧電圧Ｖｎ３を生成するとともに、その分圧電圧Ｖｎ３を比較回路４８ｂの反転入力端子に出力する。
【００３６】
この比較回路４８ｂの非反転入力端子には、昇圧電圧ＶＰＰを目標値Ｖｐ（＝７Ｖ）に維持させるための基準電圧Ｖｒ３が入力される。この比較回路４８ｂは、分圧電圧Ｖｎ３と基準電圧Ｖｒ３との比較結果に応じたレベルを持つ制御信号Ｓ２をリングオシレータ４１内のナンド回路４２に出力する。具体的には、比較回路４８ｂは、分圧電圧Ｖｎ３が基準電圧Ｖｒ３よりも小さい場合にＨレベルの制御信号Ｓ２を出力し、分圧電圧Ｖｎ３が基準電圧Ｖｒ３よりも大きい場合にＬレベルの制御信号Ｓ２を出力する。このような制御信号Ｓ２によって、昇圧電圧ＶＰＰが目標値Ｖｐよりも低いときにポンプ回路４７を動作させ、昇圧電圧ＶＰＰが目標値Ｖｐよりも高いときにポンプ回路４７を停止させることができる。これにより、第２昇圧回路４は、目標値Ｖｐで略一定となる昇圧電圧ＶＰＰを生成することができる。
【００３７】
次に、電源選択回路５の構成例を説明する。
電源選択回路５は、入力電圧ＶＣＣが供給される第１降圧レギュレータ５１と、中間電圧ＶＭＭが供給される第２降圧レギュレータ５３とを含む。第１降圧レギュレータ５１は、オペアンプ５２と出力トランジスタＴＰ４を含み、第２降圧レギュレータ５３は、オペアンプ５４と出力トランジスタＴＰ５を含む。なお、本実施形態では、出力トランジスタＴＰ４，ＴＰ５はＰチャネルＭＯＳトランジスタである。
【００３８】
オペアンプ５２の反転入力端子には入力電圧ＶＣＣが供給される。このオペアンプ５２の出力端子はトランジスタＴＰ４のゲートに接続されている。トランジスタＴＰ４は、そのソースに上記昇圧電圧ＶＰＰが供給されるとともに、そのドレインがトランジスタＴＰ５のドレインとオペアンプ５２の非反転入力端子に接続されている。また、上記オペアンプ５２の高電位側の電源端子には、上記昇圧電圧ＶＰＰが動作電源電圧として供給される。
【００３９】
オペアンプ５４の反転入力端子には中間電圧ＶＭＭが供給される。このオペアンプ５４の出力端子はトランジスタＴＰ５のゲートに接続されている。トランジスタＴＰ５は、そのソースに上記昇圧電圧ＶＰＰが供給されるとともに、そのドレインがトランジスタＴＰ４のドレインとオペアンプ５４の非反転入力端子に接続されている。このように、トランジスタＴＰ５は、トランジスタＴＰ４と並列に接続されている。また、上記オペアンプ５４の高電位側の電源端子には、上記昇圧電圧ＶＰＰが動作電源電圧として供給される。そして、トランジスタＴＰ４，ＴＰ５のドレインが上記差動増幅器２１の高電位側の電源端子に接続されている。
【００４０】
このように構成された電源選択回路５では、入力電圧ＶＣＣが中間電圧ＶＭＭよりも高いときには、トランジスタＴＰ４がオンされるとともに、トランジスタＴＰ５がオフされる。そして、オペアンプ５２によってトランジスタＴＰ４のドレイン電圧が反転入力端子に供給される入力電圧ＶＣＣと等しくなるようにトランジスタＴＰ４が制御されるため、動作電源電圧ＶＤＤは入力電圧ＶＣＣと等しくなる。一方、中間電圧ＶＭＭが入力電圧ＶＣＣよりも高いときには、トランジスタＴＰ４がオフされるとともに、トランジスタＴＰ５がオンされる。そして、オペアンプ５４によってトランジスタＴＰ５のドレイン電圧が反転入力端子に供給される中間電圧ＶＭＭと等しくなるようにトランジスタＴＰ５が制御されるため、動作電源電圧ＶＤＤは中間電圧ＶＭＭと等しくなる。このように、電源選択回路５は、入力電圧ＶＣＣと中間電圧ＶＭＭのうち高い方の電圧を動作電源電圧ＶＤＤとして降圧回路２に供給する。
【００４１】
次に、このように構成された電源回路１において、入力電圧ＶＣＣが変動する場合の動作を図３にしたがって説明する。図３（ａ）は、入力電圧ＶＣＣの変動に伴う動作電源電圧ＶＤＤの変動を示す波形図であり、図３（ｂ）は、図３（ａ）中の破線枠を拡大した波形図である。なお、図３において、縦軸及び横軸は、説明を簡潔にするため、適宜拡大、縮小して示している。
【００４２】
今、時刻ｔ０において、入力電圧ＶＣＣが中間電圧ＶＭＭよりも低い（ＶＣＣ＜ＶＭＭ）。この場合には、第１昇圧回路３によって入力電圧ＶＣＣが昇圧されて目標値Ｖｍ２で略一定となる昇圧電圧Ｖ２が生成される。そして、この昇圧電圧Ｖ２が中間電圧ＶＭＭとして出力端子Ｔｏから出力される。
【００４３】
このとき、降圧回路２では、図２（ｂ）に示すように、差動増幅器２１に動作電源電圧ＶＤＤとして中間電圧ＶＭＭが供給され、出力トランジスタＴＰ１のボディバイアスが中間電圧ＶＭＭに設定される。詳述すると、第２昇圧回路４は、入力電圧ＶＣＣを昇圧して入力電圧ＶＣＣ及び中間電圧ＶＭＭよりも高い昇圧電圧ＶＰＰを生成し、その昇圧電圧ＶＰＰを電源選択回路５に出力する。電源選択回路５では、オペアンプ５４によってトランジスタＴＰ５のドレイン電圧が中間電圧ＶＭＭと等しくなるようにトランジスタＴＰ５が制御される。これにより、降圧回路２の差動増幅器２１には、中間電圧ＶＭＭと等しい動作電源電圧ＶＤＤが供給される。また、入力電圧ＶＣＣが中間電圧ＶＭＭよりも低い場合には、トランジスタＴＰ２がオフされ、トランジスタＴＰ３がオンされる。これにより、トランジスタＴＰ１のバックゲートが同トランジスタＴＰ１の第２端子に接続されるため、出力トランジスタＴＰ１のボディバイアスが中間電圧ＶＭＭに設定される。
【００４４】
そして、このときの降圧回路２では、入力電圧ＶＣＣが中間電圧ＶＭＭよりも低いため、出力トランジスタＴＰ１のゲートには、差動増幅器２１から高電位側の電源電圧である中間電圧ＶＭＭが供給される。このときの出力トランジスタＴＰ１のソース電圧（第２端子電圧）も中間電圧ＶＭＭであるため、出力トランジスタＴＰ１のゲート・ソース間電圧が０Ｖとなる。したがって、出力トランジスタＴＰ１はオフされ、降圧回路２が停止状態に制御される。さらに、降圧回路２では、図２（ｂ）に示すように、出力トランジスタＴＰ１の第１端子から第２端子に向かう方向が順方向になる第２ボディダイオードＤ２が形成される。このため、出力トランジスタＴＰ１がオフ状態では、出力トランジスタＴＰ１の第２端子電圧（中間電圧ＶＭＭ）が第１端子電圧（入力電圧ＶＣＣ）より大きくなっても、出力端子Ｔｏから第２ボディダイオードＤ２を介して電源端子に電流が流れることが抑制される。
【００４５】
ここで、従来例の電源回路において、単に降圧回路を駆動・停止するためのスイッチ、例えば降圧回路の出力トランジスタの第２端子と出力端子Ｔｏとの間に設けられるスイッチを省略した場合には、入力電圧ＶＣＣが中間電圧ＶＭＭよりも低くなると入力電圧ＶＣＣが変動するおそれがある。詳述すると、従来例の降圧回路では、差動増幅器の動作電源電圧が入力電圧ＶＣＣであり、出力トランジスタＴＰ１のボディバイアスは入力電圧ＶＣＣに固定されている、すなわち図２（ａ）に示す回路構成に固定されている。このため、入力電圧ＶＣＣが中間電圧ＶＭＭよりも低くなると、出力トランジスタＴＰ１がオンされることになる。すると、出力端子Ｔｏから入力電圧ＶＣＣの供給される電源端子に向かって電流が流れ、入力電圧ＶＣＣが変動するおそれがある。
【００４６】
これに対し、本実施形態の降圧回路２では、上述のように、出力端子Ｔｏから電源端子に向かって電流が流れることが抑制されるため、この電流に起因する入力電圧ＶＣＣの変動を抑制することができる。
【００４７】
続いて、入力電圧ＶＣＣが徐々に上昇しても、入力電圧ＶＣＣが中間電圧ＶＭＭよりも低い場合には（時刻ｔ０〜ｔ１の直前）、上記同様に、出力トランジスタＴＰ１はオフされ、降圧回路２の停止状態が維持される。なお、この場合には、第１昇圧回路３によって入力電圧ＶＣＣが昇圧されて中間電圧ＶＭＭが生成される。このように、入力電圧ＶＣＣが中間電圧ＶＭＭよりも低い場合には（ＶＣＣ＜ＶＭＭ）、降圧回路２が停止状態とされ、第１昇圧回路３によって目標値Ｖｍ２で略一定となる中間電圧ＶＭＭが生成される（図３（ｂ）参照）。
【００４８】
次に、図３（ａ）に示すように、入力電圧ＶＣＣが中間電圧ＶＭＭよりも高くなると（時刻ｔ１の直後）、動作電源電圧ＶＤＤが中間電圧ＶＭＭから入力電圧ＶＣＣに切り替わる。詳述すると、電源選択回路５では、オペアンプ５２によってトランジスタＴＰ４のドレイン電圧が入力電圧ＶＣＣと等しくなるようにトランジスタＴＰ４が制御される。これにより、降圧回路２の差動増幅器２１には、入力電圧ＶＣＣと等しい動作電源電圧ＶＤＤが供給される。また、入力電圧ＶＣＣが中間電圧ＶＭＭよりも高くなると、トランジスタＴＰ２がオンされ、トランジスタＴＰ３がオフされる。これにより、トランジスタＴＰ１のバックゲートが同トランジスタＴＰ１の第１端子に接続されるため、出力トランジスタＴＰ１のボディバイアスが入力電圧ＶＣＣに設定される。したがって、このときの降圧回路２は、図２（ａ）に示す回路構成になる。この降圧回路２では、降圧電圧Ｖ１が基準電圧Ｖｒ１に応じた目標値Ｖｍ１と等しくなるように出力トランジスタＴＰ１が制御される。これにより、降圧回路２によって目標値Ｖｍ１で略一定となる降圧電圧Ｖ１が生成され、その降圧電圧Ｖ１が中間電圧ＶＭＭとして出力端子Ｔｏから出力される。このように、降圧回路２は、入力電圧ＶＣＣが中間電圧ＶＭＭよりも高くなると、降圧動作を開始する（動作状態になる）。換言すると、本実施形態の降圧回路２は、入力電圧ＶＣＣと中間電圧ＶＭＭとの大小関係に応じて、その停止状態と動作状態とが自動的に切り替えられる。
【００４９】
一方、このときの第１昇圧回路３は、比較回路３８から出力される制御信号Ｓ１によってポンプ動作が停止される。詳述すると、上記降圧回路２の動作によって、第１昇圧回路３における目標値Ｖｍ２よりも高い目標値Ｖｍ１で略一定となるように中間電圧ＶＭＭが生成されると、第１昇圧回路３では、分圧電圧Ｖｎ２が基準電圧Ｖｒ２よりも高くなる。このため、比較回路３８からはＬレベルの制御信号Ｓ１が出力され、その制御信号Ｓ１によってポンプ回路３７のポンプ動作が停止される。このように、入力電圧ＶＣＣが中間電圧ＶＭＭよりも高い場合には、第１昇圧回路３が停止状態とされ、降圧回路２によって目標値Ｖｍ１で略一定となる中間電圧ＶＭＭが生成される（図３（ｂ）参照）。
【００５０】
以上のように、本実施形態の電源回路１では、電圧ＶＣＣ，ＶＭＭの電圧関係がＶＣＣ＜ＶＭＭからＶＣＣ＞ＶＭＭに切り替わるときに、それらの電圧関係によって降圧回路２が停止状態から動作状態に自動的に切り替わる。さらに、その切り替わりに伴って第１昇圧回路３が動作状態から停止状態に自動的に切り替わる。したがって、スイッチを必要とせずに、ＶＣＣ＝ＶＭＭ（時刻ｔ１）を境にして降圧回路２と第１昇圧回路３とを自動的に切り替えて中間電圧ＶＭＭを生成することができる。この結果、降圧回路２と第１昇圧回路３とがスムーズに切り替えられるため、安定した中間電圧ＶＭＭを生成することができる。
【００５１】
なお、電圧ＶＣＣ，ＶＭＭの電圧関係がＶＣＣ＞ＶＭＭからＶＣＣ＜ＶＭＭに切り替わる場合も同様に、ＶＣＣ＝ＶＭＭ（時刻ｔ２）を境にして降圧回路２と第１昇圧回路３とが自動的に切り替えられる。
【００５２】
以上説明した本実施形態によれば、以下の効果を奏することができる。
（１）降圧回路２の動作電源電圧ＶＤＤと降圧回路２内の出力トランジスタＴＰ１のボディバイアスとを、入力電圧ＶＣＣと中間電圧ＶＭＭのうちの高い方の電圧に設定するようにした。これにより、入力電圧ＶＣＣと中間電圧ＶＭＭとの大小関係がＶＣＣ＜ＶＭＭからＶＣＣ＞ＶＭＭに切り替わると、それら電圧ＶＣＣ，ＶＭＭの大小関係によって降圧回路２が停止状態から動作状態に自動的に切り替えられる。この結果、スイッチを使用せずに、降圧回路２の停止状態と動作状態とをスムーズに切り替えることができるため、安定した中間電圧ＶＭＭを生成することができる。
【００５３】
（２）降圧回路２における中間電圧ＶＭＭの目標値Ｖｍ１を、第１昇圧回路３における中間電圧ＶＭＭの目標値Ｖｍ２よりも高く設定するようにした。これにより、降圧回路２の動作によって中間電圧ＶＭＭの上限値が制御される。すなわち、第１昇圧回路３の動作よりも降圧回路２の動作の方が優先される。このため、降圧回路２が動作状態となる期間（ＶＣＣ＞ＣＭＭ）では、第１昇圧回路３が停止状態となる。したがって、電源回路１の消費電力の増大を抑制することができる。また、降圧回路２と第１昇圧回路３の双方が動作することが抑制されるため、より安定した中間電圧ＶＭＭを生成することができる。
【００５４】
（３）第２昇圧回路４において、入力電圧ＶＣＣ及び中間電圧ＶＭＭよりも高い昇圧電圧ＶＰＰを生成するようにした。そして、この昇圧電圧ＶＰＰを動作電源電圧として電源選択回路５に供給するようにした。これにより、電源選択回路５（第１降圧レギュレータ５１又は第２降圧レギュレータ５３）を確実に動作させることができる。したがって、入力電圧ＶＣＣと中間電圧ＶＭＭのうちの高い方の電圧を確実に降圧回路２に供給することができる。
【００５５】
（第２実施形態）
以下、第２実施形態を図４〜図７に従って説明する。この実施形態の電源回路１ａは、第１昇圧回路３ａのポンプ能力が不足するような場合に、第２昇圧回路４ａを、中間電圧ＶＭＭを生成するための昇圧回路として利用する点が上記第１実施形態と異なっている。以下、第１実施形態との相違点を中心に説明する。
【００５６】
図４に示すように、電源回路１ａは、降圧回路２と、第１昇圧回路３ａと、第２昇圧回路４ａと、電源選択回路５と、分圧回路６ａと、比較回路７と、選択回路８と、スイッチＳＷ１〜ＳＷ６とを含む。
【００５７】
分圧回路６ａは、中間電圧ＶＭＭをそれぞれ異なる分圧比で分圧した分圧電圧Ｖｎ１，Ｖｎ２，Ｖｎ４を生成する。具体的には、分圧回路６ａは、出力端子Ｔｏとグランドとの間に直列に接続された抵抗Ｒ１〜Ｒ４を含み、それら抵抗Ｒ１〜Ｒ４間の接続点の電位を分圧電圧Ｖｎ１，Ｖｎ２，Ｖｎ４として生成する。より具体的には、分圧回路６ａは、抵抗Ｒ１，Ｒ２間の接続点の電位を分圧電圧Ｖｎ２とし、抵抗Ｒ２，Ｒ３間の接続点の電位を分圧電圧Ｖｎ１とし、抵抗Ｒ３，Ｒ４間の接続点の電位を分圧電圧Ｖｎ４として生成する。そして、分圧回路６ａは、これら分圧電圧Ｖｎ１，Ｖｎ２，Ｖｎ４を降圧回路２、第１昇圧回路３ａ及び比較回路７にそれぞれ出力する。ここで、抵抗Ｒ１〜Ｒ３による電圧降下分をΔＶとすれば、分圧電圧Ｖｎ４は電圧ＶＭＭ−ΔＶと等しいと言える。
【００５８】
比較回路７は、その反転入力端子に上記分圧電圧Ｖｎ４が供給されるとともに、非反転入力端子に入力電圧ＶＣＣが供給される。この比較回路７は、分圧電圧Ｖｎ４と入力電圧ＶＣＣとの比較結果に応じたレベルを持つ選択信号ＳＳを生成する。具体的には、比較回路７は、入力電圧ＶＣＣが分圧電圧Ｖｎ４（＝ＶＭＭ−ΔＶ）よりも低い場合にはＬレベルの選択信号ＳＳを生成する。すなわち、比較回路７は、中間電圧ＶＭＭと入力電圧ＶＣＣとの電位差が所定値（ここでは、ΔＶ）よりも大きい場合にはＬレベルの選択信号ＳＳを生成する。一方、比較回路７は、入力電圧ＶＣＣが分圧電圧Ｖｎ４よりも高い場合にはＨレベルの選択信号ＳＳを生成する。そして、この選択信号ＳＳは、選択回路８とスイッチＳＷ１〜ＳＷ５に供給される。
【００５９】
選択回路８には、第１昇圧回路３ａの比較回路３８から制御信号Ｓ１が供給されるとともに、第２昇圧回路４ａの検出回路４８から制御信号Ｓ２が供給される。この選択回路８は、比較回路７から入力する選択信号ＳＳに基づいて、制御信号Ｓ１と制御信号Ｓ２のうちの一方を制御信号Ｓ３として第２昇圧回路４ａ内のリングオシレータ４１に出力する。具体的には、選択回路８は、Ｌレベルの選択信号ＳＳに応答して、制御信号Ｓ１を制御信号Ｓ３としてリングオシレータ４１に出力する。このときの制御信号Ｓ３（制御信号Ｓ１）は、基準電圧Ｖｒ２に応じた目標値Ｖｍ２の中間電圧ＶＭＭを生成するようにリングオシレータ４１の発振動作を制御する信号となる。このため、中間電圧ＶＭＭと入力電圧ＶＣＣとの電位差が大きい場合には、第２昇圧回路４ａは、上記第１昇圧回路３ａと協動して、目標値Ｖｍ２の中間電圧ＶＭＭを生成するように動作する。
【００６０】
一方、選択回路８は、Ｈレベルの選択信号ＳＳに応答して、制御信号Ｓ２を制御信号Ｓ３としてリングオシレータ４１に出力する。これにより、第２昇圧回路４ａは、上記第１実施形態と同様に、入力電圧ＶＣＣ及び中間電圧ＶＭＭよりも高い昇圧電圧ＶＰＰを生成するように動作する。
【００６１】
スイッチＳＷ１は、その第１端子が第２昇圧回路４ａ内のポンプ回路４７の出力端子に接続されるとともに、第２端子が出力端子Ｔｏに接続されている。
スイッチＳＷ２は、その第１端子が第２昇圧回路４ａ内のポンプ回路４７の出力端子に接続されるとともに、第２端子が電源選択回路５に接続されている。
【００６２】
スイッチＳＷ３は、その第１端子に入力電圧ＶＣＣが供給されるとともに、第２端子がスイッチＳＷ２の第２端子に接続されている。
スイッチＳＷ４は、その第１端子が電源選択回路５の出力端子に接続されるとともに、第２端子が降圧回路２の高電位側の電源端子に接続されている。
【００６３】
スイッチＳＷ５は、その第１端子に中間電圧ＶＭＭが供給されるとともに、第２端子がスイッチＳＷ４の第２端子に接続されている。
これらスイッチＳＷ１〜ＳＷ５の制御端子には、上記比較回路７からの選択信号ＳＳが供給される。そして、スイッチＳＷ１，ＳＷ３，ＳＷ５は、Ｌレベルの選択信号ＳＳに応答してオンする一方、Ｈレベルの選択信号ＳＳに応答してオフする。また、スイッチＳＷ２，ＳＷ４は、Ｌレベルの選択信号ＳＳに応答してオフする一方、Ｈレベルの選択信号ＳＳに応答してオンする。このように、比較回路７からＬレベルの選択信号ＳＳが出力されると、スイッチＳＷ１，ＳＷ３，ＳＷ５がオンされ、スイッチＳＷ２，ＳＷ４がオフされる。このため、第２昇圧回路４ａにて生成された昇圧電圧ＶＰＰが中間電圧ＶＭＭとして出力端子Ｔｏに出力される。また、電源選択回路５には昇圧電圧ＶＰＰの代わりに入力電圧ＶＣＣが供給されるとともに、降圧回路２には入力電圧ＶＣＣと中間電圧ＶＭＭの大小関係に関わらず中間電圧ＶＭＭが動作電源電圧ＶＤＤとして供給される。
【００６４】
スイッチＳＷ６は、その第１端子に入力電圧ＶＣＣの供給される電源端子が接続されるとともに、第２端子が第２昇圧回路４ａ内のポンプ回路４７の出力端子に接続されている。また、スイッチＳＷ６の制御端子には、上記選択信号ＳＳの立ち下がりに応答して所定時間Ｔ（図７参照）だけＨレベルとなるパルス信号が供給される。このスイッチＳＷ６は、Ｈレベルのパルス信号に応答してオンする一方、Ｌレベルのパルス信号に応答してオフする。
【００６５】
次に、スイッチＳＷ１〜ＳＷ６の構成例を図５にしたがって説明する。なお、スイッチＳＷ２〜ＳＷ６も同様の構成を備えるため、ここでは説明を省略する。
図５に示すように、スイッチＳＷ１は、その第１端子と第２端子との間に直列に接続されたＰチャネルＭＯＳトランジスタＴＰ１０，ＴＰ１１と、レベルシフト回路６１，６２とを含む。
【００６６】
トランジスタＴＰ１０は、その第１端子に昇圧電圧ＶＰＰが供給され、第２端子がトランジスタＴＰ１１の第１端子に接続されている。そのトランジスタＴＰ１１の第２端子には中間電圧ＶＭＭが供給される。なお、トランジスタＴＰ１０のバックゲートは当該トランジスタＴＰ１０の第１端子に接続されるとともに、トランジスタＴＰ１１のバックゲートは当該トランジスタＴＰ１１の第２端子に接続されている。
【００６７】
トランジスタＴＰ１０のゲートにはレベルシフト回路６１の出力信号が供給される一方、トランジスタＴＰ１１のゲートにはレベルシフト回路６２の出力信号が供給される。
レベルシフト回路６１には、上記比較回路７から選択信号ＳＳが供給されるとともに、昇圧電圧ＶＰＰが供給される。このレベルシフト回路６１は、Ｈレベルの選択信号ＳＳを昇圧電圧ＶＰＰレベルの信号にレベル変換し、その変換後の信号をトランジスタＴＰ１０のゲートに出力する。
【００６８】
レベルシフト回路６２には、選択信号ＳＳと中間電圧ＶＭＭとが供給される。このレベルシフト回路６２は、Ｈレベルの選択信号ＳＳを中間電圧ＶＭＭレベルの信号にレベル変換し、その変換後の信号をトランジスタＴＰ１１のゲートに出力する。
【００６９】
このように構成されたスイッチＳＷ１では、Ｌレベルの選択信号ＳＳが入力されると、そのＬレベルの選択信号ＳＳがレベルシフト回路６１，６２をそれぞれ介してトランジスタＴＰ１０，ＴＰ１１のゲートに供給される。このため、Ｌレベルの選択信号ＳＳが入力される場合には、昇圧電圧ＶＰＰと中間電圧ＶＭＭの大小関係に関わらず、トランジスタＴＰ１０，ＴＰ１１がオンされる。一方、Ｈレベルの選択信号ＳＳが入力されると、昇圧電圧ＶＰＰレベルの信号がトランジスタＴＰ１０のゲートに供給され、中間電圧ＶＭＭレベルの信号がトランジスタＴＰ１１に供給される。これにより、トランジスタＴＰ１０，ＴＰ１１の少なくとも一方のトランジスタが確実にオフされる。すなわち、昇圧電圧ＶＰＰが中間電圧ＶＭＭよりも高い場合には、トランジスタＴＰ１０が確実にオフされ、中間電圧ＶＭＭが昇圧電圧ＶＰＰよりも高い場合には、トランジスタＴＰ１１が確実にオフされる。これにより、昇圧電圧ＶＰＰと中間電圧ＶＭＭの大小関係に関わらず、スイッチＳＷ１を確実にオフ状態にすることができる。
【００７０】
次に、このように構成された電源回路１ａの動作を図６及び図７にしたがって説明する。なお、図６及び図７において、縦軸及び横軸は、説明を簡潔にするため、適宜拡大、縮小して示している。
【００７１】
今、時刻ｔ１０において、入力電圧ＶＣＣが中間電圧ＶＭＭよりも低く、且つ入力電圧ＶＣＣが分圧電圧Ｖｎ４（＝ＶＭＭ−ΔＶ）よりも低い。この場合には、第１昇圧回路３ａによって入力電圧ＶＣＣが昇圧されて目標値Ｖｍ２で略一定となる中間電圧ＶＭＭが生成される。但し、入力電圧ＶＣＣと中間電圧ＶＭＭとの電位差が大きいため、第１昇圧回路３ａのポンプ能力（電流供給能力）が不足するおそれがある。ここで、本実施形態の電源回路１ａでは、比較回路７から出力される選択信号ＳＳがＬレベルとなるため、制御信号Ｓ１が制御信号Ｓ３として第２昇圧回路４ａ内のリングオシレータ４１に供給される。これにより、第２昇圧回路４ａは、入力電圧ＶＣＣを昇圧して、基準電圧Ｖｒ２に応じた目標値Ｖｍ２の昇圧電圧ＶＰＰを生成するように動作する。さらに、上記Ｌレベルの選択信号ＳＳに応答してスイッチＳＷ１がオンされスイッチＳＷ２がオフされるため、上記昇圧電圧ＶＰＰが中間電圧ＶＭＭとして出力端子Ｔｏに出力される。このように、第１昇圧回路３ａのポンプ能力が不足するおそれがある場合には、第１昇圧回路３ａと第２昇圧回路４ａとが協動して、入力電圧ＶＣＣから目標値Ｖｍ２の中間電圧ＶＭＭを生成する。
【００７２】
なお、上記Ｌレベルの選択信号ＳＳに応答してスイッチＳＷ３，ＳＷ５がオンされスイッチＳＷ４がオフされる。このため、電源選択回路５には昇圧電圧ＶＰＰの代わりに入力電圧ＶＣＣが動作電源電圧として供給され、降圧回路２には入力電圧ＶＣＣ及び中間電圧ＶＭＭの大小関係に関わらず中間電圧ＶＭＭが動作電源電圧ＶＤＤとして供給される。このときの降圧回路２の出力トランジスタＴＰ１のボディバイアスは、中間電圧ＶＭＭに設定される。このため、降圧回路２の出力トランジスタＴＰ１は、上記第１実施形態と同様に、オフ状態に維持される。
【００７３】
続いて、入力電圧ＶＣＣが上昇してその入力電圧ＶＣＣが分圧電圧Ｖｎ４（＝ＶＭＭ−ΔＶ）よりも高くなると（時刻ｔ１１）、図７（ａ）に示すように、選択信号ＳＳがＨレベルに立ち上がる。すると、このＨレベルの選択信号ＳＳに応答して、制御信号Ｓ２が制御信号Ｓ３として第２昇圧回路４ａ内のリングオシレータ４１に供給される。これにより、第２昇圧回路４ａは、入力電圧ＶＣＣを昇圧して、基準電圧Ｖｒ３に応じた目標値Ｖｐの昇圧電圧ＶＰＰを生成するように動作する。さらに、上記Ｈレベルの選択信号ＳＳに応答してスイッチＳＷ１，ＳＷ３，ＳＷ５がオフされスイッチＳＷ２，ＳＷ４がオンされる。このため、電源選択回路５には上記昇圧電圧ＶＰＰが動作電源電圧として供給され、その電源選択回路５からは入力電圧ＶＣＣと中間電圧ＶＭＭのうちの高い方の電圧である中間電圧ＶＭＭが動作電源電圧ＶＤＤとして出力される。このときの降圧回路２の出力トランジスタＴＰ１のボディバイアスは、中間電圧ＶＭＭに設定される。したがって、降圧回路２の出力トランジスタＴＰ１は、上記第１実施形態と同様に、オフ状態に維持される。このように、入力電圧ＶＣＣと中間電圧ＶＭＭとの電位差が小さく第１昇圧回路３ａのポンプ能力が十分である場合には、第２昇圧回路４ａは、入力電圧ＶＣＣと中間電圧ＶＭＭのうちの高い方の電圧を選択する際の動作電源電圧となる昇圧電圧ＶＰＰを生成する。
【００７４】
なお、この場合の昇圧電圧ＶＰＰは、図７（ａ）に示すように、コンデンサＣ４１〜Ｃ４３間で電荷の充放電を繰り返しながら、中間電圧ＶＭＭから目標値Ｖｐまで徐々に上昇する。このとき、第２昇圧回路４ａが入力電圧ＶＣＣを中間電圧ＶＭＭから目標値Ｖｐまで昇圧するまでの時間がμｓオーダであるのに対し、入力電圧ＶＣＣが変動する際の時間がそのμｓオーダよりも一桁以上長い数十μｓオーダである。したがって、図７（ａ）に示すように、入力電圧ＶＣＣと中間電圧ＶＭＭとの大小関係が反転する境界の時刻ｔ１２よりも前に、昇圧電圧ＶＰＰが所望の目標値Ｖｐに達している。換言すると、上記時刻ｔ１２よりも前に、昇圧電圧ＶＰＰが所望の目標値Ｖｐに達するように、上記分圧電圧Ｖｎ４（抵抗Ｒ１〜Ｒ４の抵抗値）が設定されている。
【００７５】
ここで、Ｌレベルの選択信号ＳＳが出力される期間（入力電圧ＶＣＣが分圧電圧Ｖｎ４よりも高い期間）では、上述のように、上記第１実施形態と略同様の回路構成となる。すなわち、降圧回路２では、その動作電源電圧ＶＤＤと出力トランジスタＴＰ１のボディバイアスとの双方が、入力電圧ＶＣＣと中間電圧ＶＭＭのうちの高い方の電圧に設定される。このため、入力電圧ＶＣＣと中間電圧ＶＭＭとの大小関係が、ＶＣＣ＜ＶＭＭからＶＣＣ＞ＶＭＭに切り替わるとき（図６の時刻ｔ１２前後）、及びＶＣＣ＞ＶＭＭからＶＣＣ＜ＶＭＭに切り替わるとき（図６の時刻ｔ１３前後）の動作は、上記第１実施形態と同様になる。
【００７６】
次に、上記時刻ｔ１３以降、入力電圧ＶＣＣが分圧電圧Ｖｎ４（＝ＶＭＭ−ΔＶ）よりも低くなると（時刻ｔ１４）、図７（ｂ）に示すように、選択信号ＳＳがＬレベルに立ち下がる。すると、このＬレベルの選択信号ＳＳに応答して、制御信号Ｓ１が制御信号Ｓ３として第２昇圧回路４ａ内のリングオシレータ４１に供給される。これにより、第２昇圧回路４ａは、上記同様に、入力電圧ＶＣＣを昇圧して、基準電圧Ｖｒ２に応じた目標値Ｖｍ２の昇圧電圧ＶＰＰを生成するように動作する。
【００７７】
このとき、上記選択信号ＳＳの立ち下がりに応答して所定時間ＴだけＨレベルとなるパルス信号がスイッチＳＷ６の制御端子に供給され、そのスイッチＳＷ６が所定時間Ｔだけオンされる。すると、入力電圧ＶＣＣが供給される電源端子と第２昇圧回路４ａ内のポンプ回路４７の出力端子とが短絡されるため、図７（ｂ）に示すように、昇圧電圧ＶＰＰが入力電圧ＶＣＣまで低下する。その後、上記所定時間Ｔが経過すると、スイッチＳＷ６がオフされ、第１昇圧回路３ａと第２昇圧回路４ａとが協動して、昇圧電圧ＶＰＰ（＝中間電圧ＶＭＭ）を目標値Ｖｍ２まで上昇させる。このように、昇圧電圧ＶＰＰが目標値Ｖｐで安定している状態から、入力電圧ＶＣＣが分圧電圧Ｖｎ４よりも低くなった場合であっても、第１昇圧回路３ａと第２昇圧回路４ａとが協動して、入力電圧ＶＣＣから目標値Ｖｍ２の中間電圧ＶＭＭを生成する。
【００７８】
以上説明した実施形態によれば、第１実施形態の（１）〜（３）の作用効果に加えて以下の効果を奏する。
（４）第２昇圧回路４ａを、入力電圧ＶＣＣと中間電圧ＶＭＭとの電位差が大きい場合に、中間電圧ＶＭＭを生成する昇圧回路として動作させるようにした。これにより、第１昇圧回路３ａのポンプ能力が不足するような場合に、そのポンプ能力を補うことができる。さらに、電源選択回路５の動作電源電圧である昇圧電圧ＶＰＰを生成する第２昇圧回路４ａを利用するため、回路規模の増大を抑制することができる。
【００７９】
（他の実施形態）
なお、上記実施形態は、これを適宜変更した以下の態様にて実施することもできる。
・上記第２実施形態において、昇圧電圧ＶＰＰの目標値Ｖｐと中間電圧ＶＭＭの目標値Ｖｍ１，Ｖｍ２が予め決まっており、入力電圧ＶＣＣが分圧電圧Ｖｎ４よりも低くなる時刻ｔ１４から昇圧電圧ＶＰＰが中間電圧ＶＭＭの目標値Ｖｍ２と等しくなる時刻までの時間Ｔ０（図７（ｂ）参照）が算出できる場合には、上記所定時間Ｔを時間Ｔ０に設定してもよい。これにより、中間電圧ＶＭＭの変動を抑制することができる。
【００８０】
・また、昇圧電圧ＶＰＰが入力電圧ＶＣＣまで低下したときの最小電圧値と中間電圧ＶＭＭの目標値Ｖｍ２との電位差ΔＶ２や上記電圧ΔＶを、中間電圧ＶＭＭの変動範囲内に設定することにより、中間電圧ＶＭＭの変動を最小限に抑制することができる。
【００８１】
・上記第２実施形態において、比較回路７から出力されるＬレベルの選択信号ＳＳに応答して、降圧回路２や電源選択回路５のＤＣ電流を遮断するためのスイッチを設けてもよい。
【００８２】
・上記第２実施形態では、選択回路８をリングオシレータ４１の前段に設けるようにした。これに限らず、選択回路８をリングオシレータ４１の後段に設けるようにしてもよい。この場合の選択回路８は、選択信号ＳＳに基づいて、リングオシレータ３１の出力信号（クロック信号ＣＫ１及び反転信号ＸＣＫ１）又はリングオシレータ４１の出力信号（クロック信号ＣＫ２及び反転信号ＸＣＫ２）のいずれか一方をポンプ回路４７に供給する。
【００８３】
・上記各実施形態において、降圧回路２における中間電圧ＶＭＭの目標値Ｖｍ１と第１昇圧回路３における中間電圧ＶＭＭの目標値Ｖｍ２とを等しい値に設定してもよい。また、目標値Ｖｍ２を目標値Ｖｍ１よりも高くなるように設定してもよい。
【００８４】
・上記各実施形態では、出力トランジスタＴＰ１を閾値電圧Ｖｔｈが０Ｖのトランジスタに具体化したが、これに制限されない。例えば中間電圧ＶＭＭで許容される変動が出力トランジスタＴＰ１の閾値電圧Ｖｔｈ以上である場合には、出力トランジスタＴＰ１を、０Ｖを超える閾値電圧Ｖｔｈを有するトランジスタに変更してもよい。
【００８５】
・上記各実施形態では、降圧回路２としてＬＤＯレギュレータに具体化したが、その他のリニアレギュレータ又はシリーズレギュレータに具体化してもよい。例えば出力電圧（ここでは、中間電圧ＶＭＭ）が電源電圧ＶＣＣまで出力することのできるレギュレータ、所謂Ｒａｉｌ−Ｔｏ−Ｒａｉｌ（登録商標）のレギュレータに具体化してもよい。また、降圧回路２を降圧型のＤＣ−ＤＣコンバータに具体化してもよい。すなわち、降圧回路２の動作電源電圧ＶＤＤと降圧回路２内の出力トランジスタＴＰ１のボディバイアスとが、入力電圧ＶＣＣと中間電圧ＶＭＭのうちの高い方の電圧に設定される構成であれば特に制限されない。
【００８６】
・上記各実施形態では、第１昇圧回路３，３ａ及び第２昇圧回路４，４ａとして昇圧型のチャージポンプに具体化したが、その構成は特に制限されない。
・上記各実施形態では、中間電圧ＶＭＭの目標値を入力電圧ＶＣＣの変動範囲の中心値としたが、変動範囲の中間値であれば特に制限されない。
【００８７】
上記各実施形態に関し、以下の付記を開示する。
（付記１）
入力電圧を昇圧して出力電圧を生成する第１昇圧回路と、
前記入力電圧を降圧して前記出力電圧を生成する降圧回路と、を有し、
前記降圧回路の動作電源電圧と前記降圧回路内の出力トランジスタのボディバイアスとが、前記入力電圧と前記出力電圧のうち高い方の電圧に設定されることを特徴とする電源回路。
（付記２）
前記入力電圧及び前記出力電圧よりも高い第１電圧を生成する第２昇圧回路と、
前記第１電圧に基づき動作し、前記入力電圧と前記出力電圧のうちの高い方の電圧を選択して前記動作電源電圧として前記降圧回路に出力する電源選択回路と、を有することを特徴とする付記１に記載の電源回路。
（付記３）
前記電源選択回路は、前記入力電圧が供給される第１降圧レギュレータと、前記出力電圧が供給される第２降圧レギュレータとを含み、前記第１降圧レギュレータの第１出力トランジスタと前記第２降圧レギュレータの第２出力トランジスタとを並列に接続したことを特徴とする付記２に記載の電源回路。
（付記４）
前記第２昇圧回路は、前記入力電圧が前記出力電圧よりも低く、且つ前記入力電圧と前記出力電圧との電位差が所定値以上の場合に、前記第１昇圧回路と協働して、前記入力電圧を昇圧して前記出力電圧を生成することを特徴とする付記２又は３に記載の電源回路。
（付記５）
前記第１昇圧回路は、第１クロック信号を生成する第１リングオシレータと、前記第１クロック信号に基づくポンプ動作により前記入力電圧を昇圧する第１ポンプ回路と、前記ポンプ回路にて昇圧された電圧に基づいて、該電圧を前記出力電圧の目標値に維持するための第１制御信号を生成する第１検出回路とを含み、
前記第２昇圧回路は、第２クロック信号を生成する第２リングオシレータと、前記第２クロック信号に基づきポンプ動作により前記入力電圧を昇圧する第２ポンプ回路と、前記ポンプ回路にて昇圧された電圧に基づいて、該電圧を前記第１電圧の目標値に維持するための第２制御信号を生成する第２検出回路とを含み、
当該電源回路は、
前記入力電圧と前記出力電圧との比較結果に応じて選択信号を生成する比較回路と、
前記選択信号に基づいて、前記第１制御信号又は前記第２制御信号を選択し、その選択した制御信号を前記第２リングオシレータに出力する選択回路と、を有することを特徴とする付記４に記載の電源回路。
（付記６）
前記第１制御信号を選択するための前記選択信号に基づいて、前記第２ポンプ回路の出力端子の接続先を、前記電源選択回路から前記第１ポンプ回路の出力端子に切り替えるための第１のスイッチを有することを特徴とする付記５に記載の電源回路。
（付記７）
前記入力電圧の供給される電源端子と前記第２ポンプ回路の出力端子との間に設けられる第２のスイッチを有し、
前記第２のスイッチは、前記第１制御信号を選択するための前記選択信号が生成されてから所定時間だけオンすることを特徴とする付記５又は６に記載の電源回路。
（付記８）
前記所定時間を、前記第１電圧の目標値及び前記出力電圧の目標値に応じて設定することを特徴とする付記７に記載の電源回路。
（付記９）
前記降圧回路における前記出力電圧の目標値を、前記第１昇圧回路における前記出力電圧の目標値よりも高く設定することを特徴とする付記１〜８のいずれか一つに記載の電源回路。
（付記１０）
前記降圧回路の出力トランジスタは、閾値電圧が０Ｖのトランジスタであることを特徴とする付記１〜９のいずれか一つに記載の電源回路。
（付記１１）
前記降圧回路の出力トランジスタの第１端子とバックゲートとの間に設けられる第１スイッチング素子と、
前記降圧回路の出力トランジスタの第２端子とバックゲートとの間に設けられる第２スイッチング素子と、を有し、
前記第１スイッチング素子の制御端子には前記出力トランジスタの第２端子が接続され、前記第２スイッチング素子の制御端子には前記出力トランジスタの第１端子が接続されることを特徴とする付記１〜１０のいずれか１つに記載の電源回路。
【符号の説明】
【００８８】
１，１ａ  電源回路
２  降圧回路
３，３ａ  第１昇圧回路
４，４ａ  第２昇圧回路
５  電源選択回路
７  比較回路
８  選択回路
３１  第１リングオシレータ
３７  第１ポンプ回路
３８  比較回路（第１検出回路）
４１  第２リングオシレータ
４７  第２ポンプ回路
４８  第２検出回路
５１  第１降圧レギュレータ
５３  第２降圧レギュレータ
ＴＰ１  出力トランジスタ
ＴＰ２  ＰチャネルＭＯＳトランジスタ（第１スイッチング素子）
ＴＰ３  ＰチャネルＭＯＳトランジスタ（第２スイッチング素子）
ＴＰ１０  第１出力トランジスタ
ＴＰ１１  第２出力トランジスタ
ＳＷ１，ＳＷ２  第１のスイッチ
ＳＷ６  第２のスイッチ
ＶＣＣ  入力電圧
ＶＭＭ  中間電圧（出力電圧）
ＶＤＤ  動作電源電圧
ＶＰＰ  昇圧電圧（第１電圧）
ＣＫ１  第１クロック信号
ＣＫ２  第２クロック信号
【図１】
0005863229.tif 000002
【図２】
0005863229.tif 000003
【図３】
0005863229.tif 000004
【図４】
0005863229.tif 000005
【図５】
0005863229.tif 000006
【図６】
0005863229.tif 000007
【図７】
0005863229.tif 000008